(57)【要約】【課題】  芝の剪定の仕上げ効率を向上させるヘッジトリマを提供する。【解決手段】  回転動力源の回転力をブレード４の往復運動に変換する偏心カムを有するヘッジトリマ１において、芝の刈り込み高さを段階的に変更する調整機構たるアタッチメント１０を備えた。アタッチメント１０は本体部とは別体であって着脱可能に構成され、本体部又はアタッチメント１０に複数の嵌合部５ａ〜５ｃと１２ａ〜１２ｃのそれぞれ１つを選択的に嵌合させることによって、本体部への装着位置を複数段階に変更可能とした。アタッチメント１０と地面と接する範囲は、ブレード４の先から本体部の後端付近までとした。【選択図】図１
2013111012.tif 000002
【特許請求の範囲】
【請求項１】
回転動力源の回転力をブレードの前後方向の往復運動に変換するヘッジトリマにおいて、
刈り込み高さ調整機構を備えたことを特徴とするヘッジトリマ。
【請求項２】
前記刈り込み高さ調整機構は前記ヘッジトリマの本体部とは着脱可能に構成されたアタッチメントであり、
前記アタッチメントを、前記本体部および前記ブレードに取り付けることを特徴とする請求項１に記載のヘッジトリマ。
【請求項３】
前記アタッチメントが地面と接する範囲をブレードの先から本体部の後端付近までとしたことを特徴とする請求項２に記載のヘッジトリマ。
【発明の詳細な説明】
【技術分野】
【０００１】
本発明は、庭木や生垣の刈り込み等に用いられるヘッジトリマに関し、特に刈り込み高さの調整機構をもうけたヘッジトリマに関する。
【背景技術】
【０００２】
庭木や生垣の刈り込みをするための工具として特許文献１のようなヘッジトリマが広く用いられている。従来のヘッジトリマを用いて芝を剪定する際、芝の刈り込み高さを調整するためには、ブレードが所望の高さになるように、ヘッジトリマ本体を持ち上げて作業しなければならず、芝の刈り込み高さを完全に一定に揃えるのは容易ではなかった。芝を一定の高さで剪定するには、高さ調整付の芝生バリカンまたは芝刈機を別途用意することが好ましいが、芝の植生面積が少なくてヘッジトリマで刈り込みをすませたいというような作業者にとっては、芝刈機等を別途用意することは大きな経済的負担となる。
【先行技術文献】
【特許文献】
【０００３】
【特許文献１】特開２０１０−０８１８９１号公報
【発明の概要】
【発明が解決しようとする課題】
【０００４】
本発明の目的は、これらの課題を解決するため、庭木や生垣を剪定するヘッジトリマにおいて、芝の刈り込み作業時に本体底面からブレードまでの高さを変更可能として刈り込み高さの調整ができるように構成することにある。
【課題を解決するための手段】
【０００５】
上記目的を達成するために、本発明のヘッジトリマは、刈り込み高さを段階的に又は連続的に調整できる調整機構を設けたことを特徴とする。この調整機構は、本体と別体のアタッチメント方式にて刈り込み高さの調整機構を実現し、ヘッジトリマの本体部およびブレードに設けた複数の嵌合部と選択的に嵌合させることによって、本体へのアタッチメントの装着位置（刈り込み高さに相当）を切り替え可能にした。ヘッジトリマは、アタッチメントが地面と接する範囲をブレードの先からヘッジトリマのハウジングの後端部までとしたことを特徴とする。
【発明の効果】
【０００６】
請求項１に記載のヘッジトリマによれば、芝の刈り込み高さ調整する機能を有するので、刈り込み高さを一定に仕上げるために道具を別途用意しなくとも、刈り込み高さの均一化と作業性を向上させることができる。
【０００７】
請求項２に記載のヘッジトリマによれば、本体への装着位置を切り替え可能としたことで、任意で芝の刈り込み高さを調整することができ、高さを調節する必要のない庭木や生垣を剪定するときには、アタッチメントを取り外すことによって通常のトリミング作業を行うことができる。
【０００８】
請求項３に記載のヘッジトリマによれば、アタッチメントが地面と接する範囲が広いため、作業時にブレードが傾いたりせずに、刈り込み高さを均一に保つことができる。
【図面の簡単な説明】
【０００９】
【図１】本発明の実施例に係るヘッジトリマ１の側面図である。
【図２】本発明の実施例に係るヘッジトリマ１の正面図である。
【図３】図１のアタッチメント１０単体の全体形状を示す斜視図である。
【発明を実施するための形態】
【実施例１】
【００１０】
以下本発明の実施の形態を添付図面に基づいて説明する。図１に、本発明によるヘッジトリマの外観を示す。  
【００１１】
ヘッジトリマ１は、動力源である図示しないモータを収容するハウジング２にハンドル部２ａを有し、ハウジング２の前方側には上下方向に延びるモータ収容部２ｂが設けられ、モータ収容部２ｂに回転軸が上下方向になるようにモータ（図示せず）が配置される。ハウジング２下端のベース部２ｃの前側からブレード４が前方側に延びる。ブレード４とベース部２ｃの接続部付近には、ブレード４にて切断されて飛散する枝葉等から作業者の手を保護するために、板状に形成されたプロテクタ６が設けられる。ブレード４はモータの回転軸に偏心カムを介して取り付けられており、ヘッジトリマ１の前後方向に往復動する２組の駆動刃４ａ、４ｂを有する。駆動刃４ａ、４ｂは延出方向に対して左右に刃がつけられており、互いに前後動する駆動刃４ａ、４ｂの間のせん断力により、ヘッジトリマ１を左方向又は右方向へスライドさせた時に進行方向前方の対象物を切断できる。このような構成のヘッジトリマ１において、作業者はハンドル部２ａを把持し、ロックオフボタン９を左右どちらかに押すことでスイッチ３のロック状態が解除される。ロックが解除された状態でスイッチ３を引きながら、ブレード４によって、庭木や生垣の剪定や芝の刈り込みを行う。
【００１２】
本発明によれば、ヘッジトリマ１には刈り込み高さ調整用のアタッチメント１０が装着される。アタッチメント１０は、図１のように側面視において開放部が上側を向いたコの字状の形状をしており、ヘッジトリマ１に着脱可能に構成される。アタッチメント１０の装着の有無は、ヘッジトリマ１の動作自体には何ら影響を与えずに、作業者はアタッチメント１０を取り付けた状態でトリミング作業を行うことができる。従って、アタッチメント１０を取り外した状態では従来のヘッジトリマと同様にトリミング作業を行うこともできる。アタッチメント１０の前号方向の長さは、少なくともブレード４の前端から後端付近まで覆うことが重要であるが、使い易さを考えると図１のようにブレード４の前端からハウジング２のベース部２ｃにかかるように、特に好ましくはベース部２ｃの後端まで覆うように形成すると良い。尚、本実施例では駆動刃を２組有する両刃駆動タイプであるが、４ａ又は４ｂのいずれかを固定刃とした片刃駆動タイプとしても良区、その場合であっても同様のアタッチメント１０を用いることができる。
【００１３】
ここで、図３を用いてアタッチメント１０の形状を説明する。図３はヘッジトリマ１から取り外されたアタッチメント１０の単体形状を示す斜視図である。アタッチメント１０は、底面となるガイド部１１と、前方側の上方向に垂直方向に立ち上がる前方壁１２と、後方側の上方向に垂直方向に立ち上がる後方壁１３の３つの主要部分を含んで構成される。ガイド部１１は、ハウジング２のベース部２ｃの底面に対応する部分１１ｂと、ブレード４の下側に位置し、底面が芝生等に接しながらトリミング作業をガイドする部分１１ａの２つの部分から形成される。ガイド部１１は長手方向（前後方向）と垂直な断面形状がいわゆる皿形１１ｃに形成され、アタッチメント１０の底面が芝生上を横方向に移動しやすいように、底面から上側への立ち上がり部分を外側に傾斜するように斜めに形成し、芝生上のスライドさせたときに抵抗が少なくなるような形状とされる。ガイド部１１のベース部２ｃの底面に対応する部分１１ｂは、ハウジング２の左右方向の幅に対応させる幅とすると好ましい。一方、ガイド部１１の前側の部分１１ａはブレード４の下側をガイドし、ブレード４と芝生との距離を一定に保持できれば十分であるので、部分１１ａの幅は部分１１ｂの幅と比べて小さい幅とする。本実施例ではブレード４を保持するレール部材４ｃ（図２で後述）の幅とほぼ同様程度とした。
【００１４】
ガイド部１１の前方側の接続される前方壁１２の後面（ブレード４側の面）には、略直方体状の凹部であるアタッチメント嵌合部１２ａ〜１２ｃが構成される。ここでアタッチメント嵌合部は、一方に設けられた複数の凹部と他方に設けられた１つの凸部の組み合わせによって構成される。アタッチメント嵌合部１２ａ〜１２ｃは、直方体状に形成された凹部であってブレード４の先端を差し込むために形成されたものである。ブレード４の先端部は凸状であってアタッチメント嵌合部の役割を果たす。一方、アタッチメント１０後方側の後方壁１３の上端付近には、略直方体状であって前方側に突出するアタッチメント嵌合部１３ａが設けられる。こちらはアタッチメント側に凸部たるアタッチメント嵌合部１３ａを設けて、ハウジング２側に凹部たる複数のアタッチメント嵌合部５ａ〜５ｃが設けられる。本実施例ではアタッチメント１０は、プラスチック等の合成樹脂の一体成形によって形成することができ、アタッチメント嵌合部の凹凸部への装着及び取り外しができる程度に適度な弾性力を有する。
【００１５】
再び図１に戻る。アタッチメント１０はブレード４及びハウジング２のベース部２ｃの下側に装着され、その前後長さはブレード４及びハウジング２のベース部２ｃを足した長さよりも、やや長く形成される。アタッチメント１０の着脱は、アタッチメント嵌合部１２ａ〜１２ｃのいずれかにブレード４の先端を差し込み、アタッチメント嵌合部１３ａをハウジング２の後面側に設けられたアタッチメント嵌合部５ａ〜５ｃのいずれかにはめることにより行われる。この際、前側と後側のアタッチメント嵌合部の取り付け位置を合わせることが重要であって、アタッチメント嵌合部５ａと１２ａが同時に利用され、同様にしてアタッチメント嵌合部５ｃと１２ｃが同時に利用され、アタッチメント嵌合部５ｂと１２ｂが同時に利用される。
【００１６】
図２は本発明の実施例に係るヘッジトリマ１の正面図である。本実施例では、アタッチメント１０のベース部２ｃの底面に対応する部分１１ｂの幅Ｗ１は、ベース部２ｃの底面の幅Ｗよりもやや狭くした。また、アタッチメント１０のブレード４をガイドする部分１１ａの幅Ｗ２は、駆動刃４ａ、４ｂを保持するレール部材４ｃとほぼ同じ幅とすると良い。しかしながら、幅Ｗ１、Ｗ２の関係はこれだけに限られずにその他のサイズに構成しても良いが、ブレード４による切断作業を阻害しないために、幅Ｗ２はブレードの幅よりも狭く構成することが重要である。ブレード４のレール部材４ｃは、アタッチメント嵌合部１２ａ〜１２ｃのいずれかに取り付けることができ、作業者は必要に応じてアタッチメント１０を着脱し、嵌合位置を変えることでブレード４の切り込み位置とアタッチメント１０のベース部２ｃの底面との距離を調整することができる。図２の状態では刈り込み高さが一番低い状態であり、刈り込み後の草の長さが短くなる。
【００１７】
以上説明したように、本実施例のヘッジトリマ１にはアタッチメント１０が設けられ、アタッチメント１０を、ヘッジトリマ本体部（ベース部２ｃ）およびブレード４に設けた複数の嵌合部と選択的に嵌合させることによって、ヘッジとリマ本体部への装着位置を切り替え可能としたので、芝の刈り込み高さを複数段の任意の高さに調整することができ、刈り込み高さをそろえたきれいな剪定が行える。また、アタッチメント１０の地面に接する面積が広いため、ブレード４が傾いたりせずに芝を均一的に剪定できる。さらに、アタッチメント１０は取り外しが可能であり、アタッチメント１０を外した状態で庭木や生垣を剪定することができるので、従来のヘッジトリマ１と同様の使い方もすることができる。
【００１８】
以上、本発明を実施例に基づいて説明したが、本発明は上述の実施例に限定されるものではなく、その趣旨を逸脱しない範囲内で種々の変更が可能である。例えば、アタッチメント１０の形状や材質は上述の実施例の形状に限られずに、その他の材質を用いてその他の形状としても良い。また、アタッチメント１０の前後長をヘッジトリマ１の延長とほぼ同じとするだけでなく、ブレード４とほぼ同じ程度の長さのアタッチメントとしても良い。さらに、アタッチメント１０とヘッジトリマ１との距離を段階的に設定する可能にしたが、蝶ネジ等の固定手段を用いて連続可変式に設定しても良い。
【符号の説明】
【００１９】
１  ヘッジトリマ
２  ハウジング
２ａ  ハンドル部
２ｂ  モータ収容部
２ｃ  ベース部
３  スイッチ
４  ブレード
４ａ、４ｂ  駆動刃
４ｃ  レール部材
５ａ〜５ｃ  アタッチメント嵌合部
６  プロテクタ
８  電源コード
９  ロックオフボタン
１０  アタッチメント
１１  ガイド部
１２  前方壁
１２ａ〜１２ｃ  アタッチメント嵌合部
１３  後方壁
１３ａ  アタッチメント嵌合部
【図１】
2013111012.tif 000003
【図２】
2013111012.tif 000004
【図３】
2013111012.tif 000005